(57)【要約】【課題】  筐体内の熱気を外部に排出するための排気装置を作動させても振動が発生することなく、安定した露光処理を行うことができる写真処理装置を提供する。【解決手段】  感光材料Ｐに対して露光処理を施すための露光ユニット２２が筐体２３内に内装され、筐体２３内での感光材料Ｐに対する処理に伴って発生する熱気を排気流路を介して筐体２３内から外部に排気する排気装置２４が設けられた写真処理装置において、前記排気装置２４は、前記排気流路に磁場を形成するための磁石２４１Ｎ，２４１Ｓと、前記磁場中の空気を加熱する熱源２４２とで構成された磁気送風機であることを特徴とする。【選択図】図１
2006053225.tif 000002
【特許請求の範囲】
【請求項１】
感光材料に対して露光処理を施すための露光ユニットが筐体内に内装され、筐体内での感光材料に対する処理に伴って発生する熱気を排気流路を介して筐体内から外部に排気する排気装置が設けられた写真処理装置において、前記排気装置は、前記排気流路に磁場を形成するための磁石と、前記磁場中の空気を加熱する熱源とで構成された磁気送風機であることを特徴とする写真処理装置。
【請求項２】
前記磁石は、所定間隔を有し、且つ異なる極を対向させて一対設けられ、該一対の磁石間に前記排気流路が形成されると共に、前記熱源が介装されている請求項１記載の写真処理装置。
【請求項３】
感光材料を処理するに当たって発熱作用を生じさせる機器を前記熱源に兼用している請求項１又は２記載の写真処理装置。
【請求項４】
前記機器は、前記露光ユニットの温度調節を行うべく、該露光ユニットの外面に設けられたペルチェ素子であり、ペルチェ素子の廃熱が前記磁場中に作用するように構成されている請求項３記載の写真処理装置。
【請求項５】
前記排気流路は、筐体の上壁に排気口を形成しており、前記排気装置は、筐体内の熱気を排気口を介して外部に排出可能に、筐体内の上部に配設されている請求項１乃至４の何れかに記載の写真処理装置。
【発明の詳細な説明】
【技術分野】
【０００１】
本発明は、感光材料に露光処理を施す露光ユニットを備えた写真処理装置に関する。
【背景技術】
【０００２】
従来から、感光材料に露光処理を施す露光ユニットを備えた写真処理装置が周知である。前記露光ユニットは、光源を備えており、搬送中の感光材料に対して光源からの光を直接的又は間接的に照射し、該感光材料に対して露光処理できるように構成されている。
【０００３】
前記露光ユニットが作動（光源から光を出力）するに際し、その出力及びその他の機器の作動に伴って熱が発生することから、該写真処理装置には、露光ユニットを収容した筐体内の熱気を外部に排気するための電動ファンが設けられている。これにより、筐体内、ひいては露光ユニット内を所定温度に保って、感光材料やその他の機器（例えば、露光ユニット内の光源に半導体レーザー素子が採用されている場合には、その光源）に熱の影響が加わらないようにし、安定した露光処理が実現できるようになっている。特に、露光ユニット内の光源にレーザー光源（半導体レーザー素子）が採用されている場合には、温度状況によってレーザー光の波長が変動し、安定した露光処理をすることができなくなるため、露光ユニット及びその周辺を所定温度で維持させることが、非常に重要であるため、電動ファンの存在は非常に重要なものである。
【発明の開示】
【発明が解決しようとする課題】
【０００４】
しかしながら、上記構成の写真処理装置は、前述の如く、電動ファンで筐体内の熱気を外部に排出するように構成されているため、該電動ファンが駆動しているときに振動が発生し、露光ユニットでの感光材料に対する露光処理に悪影響を及ぼすといった問題がある。即ち、上記構成の写真処理装置は、電動ファンの送風羽根の回転や電動機の駆動に伴って発生する振動が、露光ユニットや光源に伝わってしまうため、該光源から出力される光にブレが生じてしまい、安定した露光処理ができないといった問題がある。
【０００５】
そこで、本発明は、斯かる実情に鑑み、筐体内の熱気を外部に排出するための排気装置を作動させても振動が発生することなく、安定した露光処理を行うことができる写真処理装置を提供することを課題とする。
【課題を解決するための手段】
【０００６】
本発明にかかる写真処理装置は、感光材料に対して露光処理を施すための露光ユニットが筐体内に内装され、筐体内での感光材料に対する処理に伴って発生する熱気を排気流路を介して筐体内から外部に排気する排気装置が設けられた写真処理装置において、前記排気装置は、前記排気流路に磁場を形成するための磁石と、前記磁場中の空気を加熱する熱源とで構成された磁気送風機であることを特徴とする。
【０００７】
上記構成の写真処理装置によれば、前記排気装置が前記排気流路に磁場を形成するための磁石と、前記磁場中の空気を加熱する熱源とで構成された磁気送風機とされているので、電動モータを駆動したり、送風用の羽根を回転させたりすることなく、筐体内の熱気を排気することができる。つまり、磁場が形成された排気流路中の空気を加熱すると、該加熱領域（磁場）内において、磁化率の異なる空気が存在するようになり、磁化率の大きい空気が磁場の強い方に移動する一方で、磁化率の小さい空気は磁場の弱い方に押しやられるようになる。これによって磁場（排気流路）内に空気の流れが発生し、筐体内の空気（熱気）を排出することができる。
【０００８】
本発明の一態様として、前記磁石は、所定間隔を有し、且つ異なる極を対向させて一対設けられ、該一対の磁石間に前記排気流路が形成されると共に、前記熱源が介装されていることが好ましい。このようにすれば、排気流路に確実に磁場を形成することができると共に、磁場内の空気を確実に加熱することができるので、空気の流れを確実に形成することができる。
【０００９】
本発明の他態様として、感光材料を処理するに当たって発熱作用を生じさせる機器を前記熱源に兼用してもよい。このようにすれば、機器からの廃熱を有効利用することができる。具体的には、前記機器は、前記露光ユニットの温度調節を行うべく、該露光ユニットの外面に設けられたペルチェ素子であり、ペルチェ素子の廃熱が前記磁場中に作用するように構成されていることが好ましい。
【００１０】
ペルチェ素子は、感光材料に対する露光等の処理を行うに際し、露光ユニット内を冷却して光源から出力される光の波長等を安定させるべく設けられている。該ペルチェ素子は、一般的にプレート状に形成されており、通電することで、一方の面が吸熱側（冷却面）となり、他方の面が放熱側（廃熱面）となる。従って、露光ユニットの作動でその内部を冷却する必要がある場合には、筐体内（露光ユニットの周辺）についても温度が上昇する傾向にあり、筐体内の熱気を外部に排出して温度上昇を抑制する必要があるので、露光ユニットを一方の面による冷却作用を生じさせる際に、他方の面から放出される熱を磁場中に作用させるようにすれば、ペルチェ素子を磁気送風機の熱源として活用することができる。
【００１１】
前記排気流路は、筐体の上壁に排気口を形成しており、前記排気装置は、筐体内の熱気を排気口を介して外部に排出可能に、筐体内の上部に配設されることが好ましい。筐体内の空気が温度上昇すると、該空気は筐体内で対流することになるので、上述の如く排気装置を筐体内の上部に配置すれば、温度の高い空気が自らの対流で排気口近傍にまで到達し、該温度の高い空気を排気装置の作動で強制的に排出することができる。つまり、温度の高い空気を排出するのに、排気装置が無駄にエネルギーを消費するのを防止することができ、円滑な排気作用を得ることができる。
【発明の効果】
【００１２】
本発明の写真処理装置によれば、筐体内の熱気を外部に排出するための排気装置を作動させても振動が発生することなく、安定した露光処理を行うことができるという優れた効果を奏し得る。
【発明を実施するための最良の形態】
【００１３】
以下、本発明の一実施形態に係る写真処理装置について、添付図面を参照しつつ説明する。
【００１４】
本実施形態に係る写真処理装置は、図１及び図２に示す如く、該写真処理装置の操作を行う操作部１と、感光材料Ｐに露光処理を施す露光処理部（レーザー露光装置）２と、該露光処理部２で露光処理された感光材料Ｐを現像処理する現像処理部（現像装置）３と、該現像処理部３で現像処理された感光材料Ｐを乾燥処理する乾燥処理部（乾燥装置）４と、該乾燥処理部４で乾燥した感光材料Ｐを回収する回収部５とで構成されている。
【００１５】
前記操作部１は、各処理の処理状況や操作案内等を表示するモニター１０と、該モニター１０の表示に基づいて入力操作を行うための入力手段１１と、ＣＤ−Ｒ／ＲＷやメモリーカード等のメディアから画像データを読み込む読込装置１２と、入力手段１１からの入力データや、読込装置１２で読み込んだ画像データ等を適宜演算処理し、露光処理部２の動作等を制御する演算処理装置（コンピュータ）１３とを備えている。
【００１６】
前記モニター１０には、ブラウン管モニター或いは液晶モニターが採用され、本実施形態においてはブラウン管モニターが採用されている。
【００１７】
前記演算処理装置１３は、ＣＰＵ、ＲＯＭ、ＲＡＭ等（図示しない）が制御基板上にマウントされることにより構成されており、該写真処理装置における全ての処理を制御するように構成されている。前記入力手段１１には、キーボード、及びマウスが採用されている。本実施形態において、前記モニター１０、入力手段１１（キーボード、マウス）、読込装置１２は、Ｉ／Ｏインターフェイスを介して演算処理装置１３（ＣＰＵ）に接続されている。
【００１８】
前記露光処理部２は、ロール状にされた長尺な感光材料Ｐを収納するマガジン２０と、該マガジン２０から引き出された感光材料Ｐを所定サイズに切断する切断装置２１と、該切断装置２１によって所定サイズに切断されて枚葉状になった感光材料Ｐに露光処理を施す露光ユニット２２と、これらが内装された筐体２３と、各装置（特には露光ユニット２２）の作動によって筐体２３内に発生する熱気を外部に排出する排気装置２４とを備えている。なお、該露光処理部２は、各装置２０，２１，２２間に複数のローラ対Ｒ…が配設されており、切断装置２１で切断された枚葉状の感光材料Ｐを下流側（前記現像処理部３）に向けて搬送できるようになっている。
【００１９】
前記マガジン２０は、露光処理部２（筐体２３）内の下部に設けられており、該マガジン２０には、一方の面を内側（乳剤面を外側）に位置させるようにロール状にされた長尺な感光材料Ｐが軸回りに回転可能で且つ引き出し可能に収納されている。
【００２０】
前記切断装置２１は、露光処理部２内の下部に配置されたマガジン２０の下流側に設けられている。該切断装置２１は、互いに接離する一対のカッター２１ａ，２１ｂを備えており、マガジン２０から引き出された感光材料Ｐを切断して、長尺な感光材料Ｐを所定サイズの枚葉状の感光材料Ｐにできるようになっている。
【００２１】
前記露光ユニット２２は、外観箱状に形成されており、内部には、レーザー光を出力（出射）するレーザー光源２５や、該レーザー光源２５から出射したレーザー光を搬送中の感光材料Ｐ上に導くため光学系２６等が内装されている。
【００２２】
本実施形態に係るレーザー光源２５には、半導体レーザー素子が採用されており、ＲＧＢの各色に対応して三つ設けられている。前記Ｒ（赤色）用のレーザー光源２５は、直接変調されて光の強度変調がされており、出射（出力）したレーザー光を光学系２６を介して感光材料Ｐに照射できるように配置されている。一方、Ｇ（緑色）用のレーザー光源２５及びＢ（青色）用のレーザー光源２５は、レーザー光の波長を変調する第二高調波発生器：ＳＨＧ（図示しない）、及び光の強度変調を行う外部変調素子：ＡＯＭ（図示しない）を介して出力（出射）したレーザー光を感光材料Ｐに照射できるように配置されている。
【００２３】
レーザー光源２５から出射されるレーザー光（特には、赤色用のレーザー光源２５から出射される赤色のレーザー光）は、温度によって波長が不安定になる特性があるため、各レーザー光源２５には、温度調整（冷却と加熱とに切り換え）可能な第一温調手段（図示しない）が取り付けられると共に、レーザー光源２５の温度を測定する第一温度測定手段（図示しない）が取り付けられている。
【００２４】
前記第一温調手段には、ペルチェ素子が採用されており、第一温度測定手段には、温度センサー（サーミスタ）が採用されている。これにより、第一温度測定手段による温度測定に基づき、第一温調手段による加熱及び冷却を適宜切り換え、レーザー光源２５の温度を露光処理に対して適正な温度で保つようになっている。
【００２５】
前記光学系２６は、各レーザー光源２５からのレーザー光の光路を変更する各種レンズ（図示しない）や、該レンズによって光路が変更されたレーザー光を感光材料Ｐ上で走査させるためのポリゴンミラー（図示しない）、該ポリゴンミラーにより等角速度に偏向されたレーザー光を搬送中の感光材料Ｐ上で等速になるようにして歪曲収差を補正するためのｆθレンズ（図示しない）等によって構成されている。
【００２６】
該露光ユニット２２には、上述の如く、該露光ユニット２２内の温度を測定する第二温度測定手段（図示しない）と、該露光ユニット２２内の温度調整を行う第二温調手段２２２とが設けられている。該第二温調手段２２２には、ペルチェ素子が採用されており、第二温度測定手段の温度計測の結果に基づいて、露光ユニット２２内を適宜加熱又は冷却し、露光ユニット２２を所定温度で維持させるように構成されている。ペルチェ素子２２２は、シート状乃至プレート状をなしており、一方の面が露光ユニット２２の上面に貼着されている。
【００２７】
該ペルチェ素子２２２上（ペルチェ素子２２２の他方の面上）には、ヒートシンク（放熱用のフィン）２２３が設けられている。これにより、ペルチェ素子２２２の一方の面が冷却面（吸熱側）となるように通電した際に、他方の面が廃熱面（放熱側）になり、ペルチェ素子２２２から放出された熱は、ヒートシンク２２３を介して外部に放出できるようになっている。
【００２８】
前記筐体２３は、内部が暗室になるように形成されており、上壁（上面）には前記排気装置２４の作動によって熱気を排出するための排気口２３０が形成されている。即ち、前記排気装置２４は、筐体２３内の上部領域に設けられており、空気の対流（流れ）に逆らうことなく、筐体２３内の空気が排気装置２４に円滑に流れ込んで排気口２３０から排出できるようになっている。
【００２９】
前記排気装置２４は、磁気送風理論を用いた磁気送風機が採用されており、図３に示す如く、露光ユニット２２と筐体２３の上壁との間に介装されている。なお、「磁気送風理論」とは、空気は磁石に引きつけられる（磁化する）性質があり、温度差（温度分布）が生じると、各温度分布に対応して磁化率の差が生じることに着目し、その磁化率に差が生じた空気が存在する領域に磁場を形成することで、磁化率の高い空気が磁場（磁力の強い領域）に引き寄せられる一方、磁化率の低い空気が磁場外（磁力の弱い領域）に追いやられることになり、これによって、空気に流れが生じて送風作用が得られるというものである。
【００３０】
磁気送風理論を用いた本実施形態に係る磁気送風機について具体的に説明すると、該排気装置（磁気送風機）２４は、筐体２３内の空気（熱気）Ｈが前記排気口２３０に向けて流通する排気流路を画定する筒体２４０と、該筒体２４０内に磁場を形成すべく設けられた磁石２４１Ｎ，２４１Ｓと、排気流路内に配設された熱源２４２とで構成されている。
【００３１】
前記筒体２４０は、上下に開口が位置するように起立して設けられており、一端開口（上端開口）が、前記排気口２３０となるように、筐体２３の上壁に接続するように設けられている。該筒体２４０は、下端開口から筐体２３内の空気が流入するように、下端が露光ユニット２２の上面に対して間隔があくように長さ設定されている。
【００３２】
前記磁石２４１Ｎ、２４１Ｓには、永久磁石が採用されている。本実施形態に係る磁石２４１Ｎ，２４１Ｓは、ネオジウム−鉄−ホウ素系の強力なものが採用されている。該永久磁石２４１Ｎ，２４１Ｓは、筒体２４０の全長と略一致した長さの角柱状をなしており、本実施形態においては、所定間隔を有し、且つ異なる極を（Ｎ極とＳ極とを）対向させて筒体２４０内に一対設けられている。該一対の永久磁石２４１Ｎ，２４１Ｓの対向面間（対向面間の略中央）に前記ヒートシンク２２３が介装されるように配置されている。なお、該永久磁石２４１Ｎ，２４１Ｓは、上述の如く、強力な磁石であり、他の機器に対して磁力が悪影響を及ぼす可能性があるので、筒体２４０（排気装置２４）の外周に防磁体を配置することが好ましい。
【００３３】
これにより、ペルチェ素子２２２からの廃熱をヒートシンク２２３を介して一対の永久磁石２４１Ｎ，２４１Ｓ間に作用させ得るようになっている。即ち、本実施形態に係る磁気送風機２４は、露光ユニット２２を冷却するタイミングと、筐体２３内の熱気Ｈを外部に排出するタイミングとが一致していることに着目し、露光ユニット２２の温度調整を行う第二温調手段２２２としてのペルチェ素子２２２を、該排気装置２４の前記熱源２４２として兼用させるようにしている。従って、ヒートシンク２２３や露光ユニット２２が磁性を有する材料で構成すると、一対の永久磁石２４１Ｎ，２４１Ｓの磁力が作用してレーザー光源２５に悪影響を及ぼす可能性があるので、本実施形態に係る露光ユニット２２の外面には防磁処理が施されている。即ち、永久磁石２４１Ｎ，２４１Ｓの磁力が露光ユニット２２内に影響しないように、露光ユニット２２の外面には、非磁性のゴム板（図示しない）が貼着されたり、或いは、非磁性材料でコーティング（図示しない）が施されたりしている。
【００３４】
磁気送風機２４は、以上の構成からなり、排気流路となる筒体２４０内（一対の永久磁石２４１Ｎ，２４１Ｓ間）に磁場を形成すると共に、一対の永久磁石２４１Ｎ，２４１Ｓ間の熱源２４２による加熱によって、筒体２４０内の空気に対して、温度分布に対応した磁化率の分布を生じさせ、送風作用を得るように構成されている。
【００３５】
即ち、本実施形態に係る磁気送風機２４は、一対の永久磁石２４１Ｎ，２４１Ｓ間（排気流路）の空気を、該永久磁石２４１Ｎ，２４１Ｓの対向面の中央位置よりも排気口２３０側の位置で加熱することで、暖められた空気の磁化率を加熱による膨張と温度上昇に伴って、絶対温度の自乗で逆比例するかたちで減少させ、一対の永久磁石２４１Ｎ，２４１Ｓ間に存在する加熱された空気（磁化率の低い空気）を、排気流路から排気口２３０を介して外部に押し出しつつ、排気流路内の空気を磁化率の大きな空気に置き換えることで、送風作用を生じさせるようになっている。
【００３６】
図２に戻り、前記現像処理部３は、現像処理液が貯留される液槽３０と、該液槽３０内の現像処理液に対して感光材料Ｐを浸漬して引き上げる動作を繰り返すように、感光材料Ｐを搬送する搬送系３１とを備えている。
【００３７】
搬送系３１は、複数の搬送ローラ対３１０，３１０…が間隔を有して配置されることで、連続したＳ字状の搬送経路を形成しており、感光材料Ｐを搬送ローラ対３１０，３１０……の配置（Ｓ字状の搬送経路）に沿って搬送し、該感光材料Ｐにおける現像処理液への浸漬と現像処理液からの引き上げとを行って現像処理を行えるようになっている。
【００３８】
前記乾燥処理部４は、現像処理部３から送られてきた感光材料Ｐを搬送する搬送系４０と、該搬送系４０によって搬送される感光材料Ｐに向けて熱風を吹き付ける熱風発生装置４１とを備えており、該感光材料Ｐを乾燥させつつ下流側（回収部５）に向けて送り出せるようになっている。
【００３９】
本実施形態に係る写真処理装置は、以上の構成からなり、次に、本実施形態にかかる写真処理装置の作動を説明する。
【００４０】
本実施形態に係る写真処理装置は、安定した露光処理を実現すべく、感光材料Ｐに対する処理を開始する前に、ウォームアップが行われる。このウォームアップは、まず、第一温調手段及び第二温調手段２２２でレーザー光源２５及び露光ユニット２２を所定温度にまで加熱する。この際、第二温調手段（ペルチェ素子）２２２は、露光ユニット２２の外面に貼着された一方の面が廃熱側となるように通電される。したがって、この状態においては、ペルチェ素子２２２の他方の面が冷却側となり、該面に連接したヒートシンク２２３にも冷却作用が生じている。
【００４１】
そして、第一温度測定手段及び第二温度測定手段の計測に基づき、レーザー光源２５及び露光ユニット２２が所定温度になったと判断されるとレーザー光源２５からレーザー光を出力可能となってウォームアップが完了する。そして、感光材料Ｐを処理するまでレーザー光源２５及び露光ユニット２２を所定温度で保つべく、第一温度測定手段及び第二温度測定手段の計測に基づき、ペルチェ素子２２２の一方の面を廃熱側に維持させるように通電及びその停止が行われ、感光材料Ｐに対する処理の実行が開始されることになる。
【００４２】
この感光材料に対する処理は、まず、マガジン２０に収容された感光材料Ｐが下流側に引き出され、切断装置２１（カッター）で所定サイズにカットされる。
【００４３】
そして、所定サイズにカットされた感光材料Ｐが露光領域に送り込まれると、レーザー光源２５からＲＧＢ各色のレーザー光が出射され、その感光材料Ｐに対して露光処理される。このようにレーザー光源２５からレーザー光を出力したり、他の機器が作動したりすると、徐々にレーザー光源２５やその他の機器が発熱して筐体２３内が温度上昇することになるため、第一温調手段及び第二温調手段２２２は、レーザー光源２５からレーザー光を安定した波長で出力させるべく、レーザー光源２５及び露光ユニット２２を冷却して所定温度で維持させるように機能する。
【００４４】
この際、筐体２３内の温度も上昇する傾向にあるため、図３に示す如く、前記排気装置２４が作動して筐体２３内の熱気Ｈが排気口２３０から外部に排出され、筐体２３内及び該筐体２３内に内装された露光ユニット２２の温度上昇が抑制されることになる。即ち、露光ユニット２２内を冷却するように第二温調手段２２２としてのペルチェ素子が作動すると、該ペルチェ素子２２２が排気装置２４の熱源２４２として機能し、廃熱面となる他方の面から放出される熱がヒートシンク２２３から放熱されることになり、一対の永久磁石２４１Ｎ，２４１Ｓ間の空気を加熱することになる。これにより、排気装置２４から振動が発生することなく、筐体２３内の空気（熱気）Ｈが外部に放出され、筐体２３内の温度が所定温度（略外気温）になり、各機器の作動の安定性が図られることになる。
【００４５】
そして、露光処理を終えた感光材料Ｐは、現像処理部３に送られ、液槽３０内の現像処理液に対する浸漬と引き上げとが繰り返されて現像処理が施され、乾燥処理部４に向けて搬送されることになる。
【００４６】
現像処理部３から乾燥処理部４に送り込まれた感光材料Ｐは、搬送系４０によって搬送されつつ乾燥処理が施された後、回収部５において回収され一連の処理が完了する。
【００４７】
以上のように、本実施形態に係る写真処理装置は、筐体２３内の空気を外部に排出する排気装置２４を、排気流路に磁場を形成する磁石２４１Ｎ，２４１Ｓと、磁場内の空気を加熱する熱源２４２とで構成された磁気送風機としたので、筐体２３内の熱気Ｈを排出するに際して振動が全く発生することがない。これにより、露光ユニット２２及びレーザー光源２５が筐体２３内の熱気の排出に伴って振動することがなく、感光材料Ｐに対して高品質な露光処理を安定して行うことができる。
【００４８】
また、磁気送風機２４を構成する磁石２４１Ｎ，２４１Ｓを一対設け、該一対の磁石２４１Ｎ，２４１Ｓを所定間隔を有して互いに異なる極（Ｎ極とＳ極と）を対向させるように配置し、該一対の磁石２４１Ｎ，２４１Ｓ間に熱源２４２を配設するようにしたので、排気流路内の略全領域に磁場を形成することができ、しかも、該磁場内の空気を確実に加熱することができ、効率よく送風作用を得ることができる。
【００４９】
また、露光ユニット２２に対して温度調整を行う第二温調手段２２２としてのペルチェ素子を採用し、該ペルチェ素子を磁気送風機２４の熱源２４２に兼用させるようにしたので、筐体２３内の熱気Ｈを排出させるに際してペルチェ素子２２２からの廃熱を利用してエネルギー消費の無駄を抑えることができる。
【００５０】
尚、本発明の写真処理装置は、上記実施形態に限定されるものではなく、本発明の要旨を逸脱しない範囲内において種々変更を加え得ることは勿論である。
【００５１】
上記実施形態において、露光ユニット２２の温度調整を行うペルチェ素子２２２を排気装置２４の熱源２４２に兼用するようにしたが、これに限定されるものではなく、例えば、感光材料Ｐに対する処理に伴って発熱作用を生じる機器を排気装置２４の熱源２４２に兼用させるようにしてもよい。この発熱作用が生じる機器としては、感光材料Ｐを露光する光源や、各機構を動作させる電動モータ等が挙げられる。但し、磁気送風機２４の熱源２４２に発熱を伴う機器を兼用させる場合、その機器の配置と空気の流れとの関係や、その機器からの発熱量等を考慮した上で、機器を熱源できるか否かを決定することは勿論のことである。
【００５２】
上記実施形態において、露光ユニット２２の外面に貼着されたペルチェ素子２２２上のヒートシンク２２３を一対の永久磁石２４１Ｎ，２４１Ｓ間に介装し、ペルチェ素子２２２を間接的に熱源２４２に兼用するようにしたが、これに限定されるものではなく、例えば、露光ユニット２２の上面（外面）の一部を凸状に形成し、この凸状部分にペルチェ素子２２２を貼着し、一対の永久磁石２４１Ｎ，２４１Ｓ間にペルチェ素子２２２自体を介装するようにしてもよい。このようにしても、ペルチェ素子２２２で露光ユニット２２を冷却するに際し、露光ユニット２２との貼着面の裏面（他方の面）が廃熱側となるので、ペルチェ素子２２２の廃熱を利用することができ、当該ペルチェ素子２２２を排気装置２４の熱源２４２に兼用させることができる。
【００５３】
上記実施形態において、筐体２３の上面に排気口２３０を形成すると共に、排気装置２４を筐体２３内部の上部領域に設け、筐体２３内の空気の対流によって円滑に該空気が排気装置２４に流れ込むようにしたが、これに限定されるものではなく、例えば、筐体２３の側壁に排気口２３０を形成し、該排気口２３０の形成位置に対応させて排気装置２４を配置するようにしても勿論よい。但し、筐体２３内の温度が上昇すると、空気の対流によって高い温度の空気Ｈが筐体２３内の上部領域に存在することになるので、その高い温度の空気Ｈを効率よく且つ確実に外部に排気するには、上記実施形態と同様に、筐体２３の上壁（上面）に排気口２３０を形成すると共に、排気装置２４（排気装置２４の吸気口）を筐体２３内の上部領域に配置することが好ましい。
【００５４】
上記実施形態において、感光材料Ｐに対する処理に伴って発熱する機器（上記実施形態においては、ペルチェ素子２２２）を排気装置２４の熱源２４２に兼用するようにしたが、これに限定されるものではなく、例えば、熱源２４２を独立した電熱ヒータで構成するようにしても勿論よい。
【００５５】
上記実施形態に係る磁気送風機２４は、排気流路を画定する筒体２４０内に、所定間隔をおいて一対の永久磁石２４１Ｎ，２４１Ｓを配置し、該一対の永久磁石２４１Ｎ，２４１Ｓ間に熱源（電熱ヒータ）２４２を配設するようにしたが、これに限定されるものではなく、例えば、図４（イ）に示す如く、排気流路を画定する筒体２４０を挟んで一対の磁石２４１Ｎ，２４１Ｓを配置し、筒体２４０内に熱源２４２を配設するようにしてもよい。さらに、図４（ロ）に示す如く、所定間隔をおいて一対の磁石２４１Ｎ，２４１Ｓが配設されるように、排気流路を画定する筒体２４０に、各磁石２４１を嵌め込み、該磁石２４１間に熱源２４２を配設するようしてもよい。
【００５６】
上記何れの場合においても、筒体２４０の一端開口が排気口２３０又は排気口２３０側となるので、熱源２４２は、一対の磁石２４１Ｎ，２４１Ｓ間（対向面の中央）よりも排気口２３０側に変位した位置に設けることが好ましい。また、一対の磁石２４１Ｎ，２４１Ｓは、互いに異なる極を対向させて配置することは上述の通りである。また、上記実施形態において、排気流路を画定すべく、筒体２４０を設けたが、該筒体２４０を設けることなく、一対の磁石２４１Ｎ，２４１Ｓ間で排気流路とするようにしてもよい。
【００５７】
上記実施形態において、磁気送風機２４を構成する磁石２４１Ｎ，２４１Ｓを一対設けるようにしたが、これに限定されるものではなく、排気流路内に磁場を形成することができれば、磁石を一つ以上設けるようにすればよい。
【００５８】
上記実施形態において、磁気送風機２４を構成する一対の磁石２４１Ｎ，２４１Ｓに永久磁石を採用したが、これに限定されるものではなく、電磁石を採用するようにしてもよい。但し、電磁石を採用した場合には、磁場を形成するに当たってノイズの発生が顕著であり、他の機器に悪影響を及ぼす可能性があるので、磁気送風機２４を構成する磁石２４１Ｎ，２４１Ｓには、上記実施形態の如く、永久磁石を採用することが好ましい。
【００５９】
また、上記実施形態において、露光処理部（露光処理装置）２及び現像処理部（現像処理装置）３を備えた写真処理装置について説明したが、これに限定されるものではなく、露光処理部（露光処理装置）２が独立して構成された写真処理装置であっても勿論よい。つまり、感光材料Ｐに対して露光処理を行う際し、筐体２３内の排気を必要とする写真処理装置であればよい。
【図面の簡単な説明】
【００６０】
【図１】本発明の一実施形態に係る写真処理装置の全体斜視図を示す。
【図２】同実施形態に係る写真処理装置の全体概略構成図を示す。
【図３】同実施形態に係る写真処理装置の排気装置及びその周辺の拡大図を示す。
【図４】本発明の他実施形態に係る排気装置（磁気送風機）の断面斜視図であって、（イ）は、排気流路を形成する筒の外周面に一対の磁石を配設し、筒内に熱源を配設した磁気送風機を示し、（ロ）は、排気流路を形成する周壁に一対の磁石を埋設し、該磁石間の熱源を配設した磁気送風機を示す。
【符号の説明】
【００６１】
１…操作部、２…露光処理部、３…現像処理部、４…乾燥処理部、５…回収部、１０…モニター、１１…入力手段、１２…読込装置、１３…演算処理装置、２０…マガジン、２１…切断装置、２１ａ，２１ｂ…カッター、２２…露光ユニット、２３…筐体、２４…排気装置（磁気送風機）、２５…レーザー光源、２６…光学系、３０…液槽、３１…搬送系、４０…搬送系、４１…熱風発生装置、２２２…第二温調手段（ペルチェ素子）、２２３…ヒートシンク、２３０…排気口、２４０…筒体、２４１Ｎ，２４１Ｓ…永久磁石、２４２…熱源、３１０，３１０…搬送ローラ対、Ｐ…感光材料、Ｒ…ローラ対
【図１】
2006053225.tif 000003
【図２】
2006053225.tif 000004
【図３】
2006053225.tif 000005
【図４】
2006053225.tif 000006